(57)【要約】【課題】情報提供を受けたい利用者のクライアント端末機からその情報を提供したい企業のサーバコンピュータへの繰返しアクセス要求を抑制しサーバの負荷が過度にならない情報提供システムを提供することを目的とする。【解決手段】クライアント側に繰返しアクセス要求を制御するブラウザを備え、繰返しアクセス要求、とくに、時間によって刻々と変化する情報データの繰返しアクセス要求をブラウザに設定した要求頻度に制御し、利用者のそのアクセス要求を無視する手段を備え、さらに、そのブラウザにそれら情報データを表示する項目欄を設け、サーバからの情報データの送信にはＨＴＭＬタブなどのデータを除外して通信データ量を絞れるようにする手段を備える。【選択図】　　　　　図１
2004110211.tif 000002
【特許請求の範囲】
【請求項１】
利用者のためにデータ情報を提供する企業の情報サーバコンピュータと、インターネットを介し、その情報サーバコンピュータへアクセスしてフロントページを受信し、そこで必要とするデータ情報を選択して、その情報サーバコンピュータからそのデータを受信し、表示部へ表示するブラウザ機能を備えた利用者のクライアント端末機とからなる情報提供システムにおいて、
前記クライアント端末は、前記ブラウザ機能に加えて、前記情報サーバコンピュータからのフロントページで選択したデータ情報が時間経過と共に変化する経過時間依存データである場合は、予め設定されている所定の単位時間毎の繰返し頻度で前記情報サーバコンピュータへ自動的にアクセス要求を行うと共に、利用者が入力する再アクセス選択信号を無視または再アクセスを禁止して送信させない繰返しアクセス制御手段と、
前記情報サーバコンピュータより前記繰返し頻度或いは繰返し頻度を変更する変更係数を受信して記憶する繰返し頻度受信手段とを備え、
前記情報サーバコンピュータは、情報サービス日付・時間に対応した繰返し頻度対応テーブルを備え、そのサーバの負荷状態を時間経過と共に逐次測定し、負荷に対応した繰返し頻度とするための変更係数を算定する繰返し頻度変更係数算定手段と、前記クライアント端末機からのログイン或いはアクセスがあった際にその日の繰返し頻度とその時点の変更係数を送信する繰返し頻度送信手段と、
発生都度前記クライアント端末機へ送信すべき緊急通知情報データが発生したときは、前記クライアント端末機からのアクセスがあった際に、そのアクセス要求内容の如何に拘わらず、その都度その緊急通知情報データをクライアント端末機へ送信する緊急通知データ送信手段とを備えることを特徴とするアクセス制御機能付ブラウザをクライアント側に備えたインターネットを介する情報提供システム。
【請求項２】
前記クライアント端末機は、さらに、前記ブラウザ機能に加えて、前記情報サーバコンピュータから複数の前記情報データを取得するに際して、予めそれらの情報データを入力すべき対応項目表示欄を設け、取得した情報データを対応欄へ入力してクライアント端末機表示部へ表示する情報データ表示手段と、
前記緊急通知情報データを受信してクライアント端末機表示部の所定位置へ自動的に表示する緊急通知データ自動表示手段とを備え、
前記情報サーバコンピュータは、送信すべき前記情報データに加えるＨＴＭＬタグ、Ｗｅｂページデザイン設定言語、Ｗｅｂページ対話用言語などのＷｅｂページ編集情報を通信データに含めず、前記対応項目表示欄へ入力すべき前記情報データのみを送信する情報データ送信手段を備え、
情報サーバコンピュータの負荷に関係する通信データ量を最低限に抑制させることを特徴とする請求項１に記載のアクセス制御機能付ブラウザをクライアント側に備えたインターネットを介する情報提供システム。
【発明の詳細な説明】
【０００１】
【発明の属する技術分野】
本発明はクライアント端末機側にアクセス制御機能を備えたブラウザを、予めインストールしておいて、インターネットを介して情報提供を行うサーバコンピュータが前記クライアント端末機からの要求頻度の多いアクセスによりそのサーバが過負荷になることを制御する情報提供システムに関する。
【０００２】
【従来の技術】
従来のインターネットを介した情報提供は、一般的なインターネットブラウザがインストールされたクライアント端末機からのアクセス信号に応答するＷｅｂサーバを備えたコンピュータにより行われていた。
【０００３】
その一般的なインターネットブラウザの機能はＷｅｂページにあるＨＴＭＬ（ＨｙｐｅｒＴｅｘｔ　Ｍａｒｋｕｐ　Ｌａｎｇｕａｇｅ）のハイパーリンクをクリックすると、そのサーバへアクセスし情報を取得しクライアント端末機の表示部へ表示するものであった。また、アクセス制御に関しては特開２０００−３１１１３４や特開２００２−２１５４８１、専用ブラウザに関しては特開２００１−１７７６６１や特開２００１−３４４１９６公報が先行技術文献として知られている。
【０００４】
しかしながら、以下に示すような問題点があった。すなわち、利用者が要求する情報データそのもの以外に、ＨＴＭＬの言語タグ、Ｗｅｂページのレイアウト表示などのデザインを設定するＨＴＭＬ補助言語、Ｗｅｂベージ上のその表示に対して、ウインドウボックスなどで対話性を持たせるＨＴＭＬ補助言語などＷｅｂページ編集情報をインターネットを介するサーバからの送信データに含める必要があるため、通信データ量が多くなり、サーバへの単位時間当りの要求頻度が高いとレスポンス低下や、ネットワーク帯域の圧迫が発生していた。
【０００５】
例えば、競馬開催情報におけるオッズ値或はレース毎の勝馬情報データなどでは、単位時間当りの要求頻度が非常に高くなる。その上にアクセス要求頻度を抑制する手段が無いため利用者・ユーザの数の増加以上にサーバへのアクセス要求が増加してしまう問題があった。
【０００６】
すなわち、１人のユーザが通常の２倍の繰返し頻度でサーバへ情報データを要求すれば、２人のユーザがサーバを使用した場合と同じ負荷となる。さらに、利用者が繰返しアクセスの通信機能を持ったプログラムを開発し、サーバへ情報要求を投げ続けるようにすれば、１人のユーザのために数百人分のサーバ負荷が発生することになる。これらに対応するためにはサーバコンピュータ設備を増加させて対応する以外に方法はなかった。以上のようなことから、無駄な設備増加となっていた。
【０００７】
また、利用者は、刻々と変化するデータ（オッズ情報など）を閲覧したいため、繰返し要求することが多かった。しかし、サーバ側の情報データ更新は一定時間毎であり、その間に複数回要求しても表示内容が変化しない。このため、利用者の「無駄な要求」によってサーバにはその都度負荷がかかる事となっていた。
【０００８】
【発明が解決しようとする課題】
本発明は前述した問題点に鑑みてなされたものであり、サーバへの要求頻度を制御する機能を備える専用ブラウザをクライアント端末機へ備えることにより、経過時間依存情報データを２回目から必要最小限の要求頻度に制御し、さらにそのブラウザに経過時間依存情報データ表示に必要な項目を備えた表示欄の形態パターンをさらに備えて、サーバからの情報データにはＨＴＭＬタグなどのデータを除外して利用者が必要なデータのみサーバからクライアント端末機へ送信するようにして、通信データ量を絞れるようにし、理想的なレスポンスやネットワーク帯域上で通信可能な情報提供システムを提供することを目的とする。
【０００９】
【課題を解決するための手段】
前記課題を解決するために、本発明のアクセス制御機能付ブラウザをクライアント側に備えたインターネットを介する情報提供システムは、利用者のためにデータ情報を提供する企業の情報サーバコンピュータと、インターネットを介し、その情報サーバコンピュータへアクセスしてフロントページを受信し、そこで必要とするデータ情報を選択して、その情報サーバコンピュータからそのデータを受信し、表示部へ表示するブラウザ機能を備えた利用者のクライアント端末機とからなる情報提供システムにおいて、
前記クライアント端末は、前記ブラウザ機能に加えて、前記情報サーバコンピュータからのフロントページで選択したデータ情報が時間経過と共に変化する経過時間依存データである場合は、予め設定されている所定の単位時間毎の繰返し頻度で前記情報サーバコンピュータへ自動的にアクセス要求を行うと共に、利用者が入力する再アクセス選択信号を無視または再アクセスを禁止して送信させない繰返しアクセス制御手段と、
前記情報サーバコンピュータより前記繰返し頻度或いは繰返し頻度を変更する変更係数を受信して記憶する繰返し頻度受信手段とを備え、
前記情報サーバコンピュータは、情報サービス日付・時間に対応した繰返し頻度対応テーブルを備え、そのサーバの負荷状態を時間経過と共に逐次測定し、負荷に対応した繰返し頻度とするための変更係数を算定する繰返し頻度変更係数算定手段と、前記クライアント端末機からのログイン或いはアクセスがあった際にその日の繰返し頻度とその時点の変更係数を送信する繰返し頻度送信手段と、
発生都度前記クライアント端末機へ送信すべき緊急通知情報データが発生したときは、前記クライアント端末機からのアクセスがあった際に、そのアクセス要求内容の如何に拘わらず、その都度その緊急通知情報データをクライアント端末機へ送信する緊急通知データ送信手段とを備えることを特徴とする。
【００１０】
また、前記クライアント端末機は、さらに、前記ブラウザ機能に加えて、前記情報サーバコンピュータから複数の前記情報データを取得するに際して、予めそれらの情報データを入力すべき対応項目表示欄を設け、取得した情報データを対応欄へ入力してクライアント端末機表示部へ表示する情報データ表示手段と、
前記緊急通知情報データを受信してクライアント端末機表示部の所定位置へ自動的に表示する緊急通知データ自動表示手段とを備え、
前記情報サーバコンピュータは、送信すべき前記情報データに加えるＨＴＭＬタグ、Ｗｅｂページデザイン設定言語、Ｗｅｂページ対話用言語などのＷｅｂページ編集情報を通信データに含めず、前記対応項目表示欄へ入力すべき前記情報データのみを送信する情報データ送信手段を備え、
情報サーバコンピュータの負荷に関係する通信データ量を最低限に抑制させることを特徴とする。
【００１１】
【発明の実施の形態】
本発明の実施の形態を以下図に基づいて説明する。
【００１２】
図１は本発明のアクセス制御機能付ブラウザをクライアント側に備えたインターネットを介する情報提供システムの構成を示す模式図である。
【００１３】
図１において、３０は企業から情報データを取得したい利用者のクライアント端末機１０はその利用者のためにデータ情報をインターネット２０を介して提供したい企業の情報サーバコンピュータである。
【００１４】
前記クライアント端末機３０は、一般的なブラウザ機能３１ｚに加えて、繰返しアクセス制御手段３１ａ、繰返し頻度受信手段３１ｂ、情報データ表示手段３１ｃ、緊急通知データ自動表示手段３１ｄからなるアクセス制御機能付ブラウザ３１と、インターネット２０へ接続するモデムなどの接続回路部３２で少なくとも構成される。
【００１５】
ここで、繰返しアクセス制御手段３１ａは、前記情報サーバコンピュータ１０からのＷｅｂページで選択したデータ情報が時間経過と共に変化する経過時間依存データである場合は、予め設定されている所定の単位時間毎の繰返し頻度で前記情報サーバコンピュータへ自動的にアクセス要求を行うと共に、利用者が入力する再アクセス選択信号を無視して送信させない手段である。
【００１６】
詳しく説明すると、この繰返しアクセス制御手段３１ａは、後述する繰返し頻度テーブル３１ｂ−１を参照して、日付、時間毎に設定された繰返し頻度（再アクセスの時間間隔）を読み出し、さらに、情報サーバコンピュータ１０の混雑状況に応じた変更係数を変更係数テーブル３１ｂ−２より読み出し再アクセス時間を算定して、自動的に情報サーバコンピュータ１０にアクセスする。
【００１７】
なお、繰返しアクセス制御手段３１ａは、クライアント側で、自動アクセスを停止させる選択（自動アクセスオフ・オン選択）を行なうことができるように設定することができる。自動アクセスオンの場合は、利用者の再アクセス動作は禁止される、また、自動アクセスオフとしても、繰返し頻度テーブル３１ｂ−１に予め定められた時間間隔以内の再アクセスは無視することができる。
【００１８】
また、繰返し頻度受信手段３１ｂは、情報サーバコンピュータ１０から前記繰返し頻度或いは繰返し頻度を変更する変更係数を受信して記憶する手段である。情報サーバコンピュータ１０にログインした際は繰返し頻度を受信し、繰返し頻度テーブル３１ｂ−１に記録し、その後の再アクセスに際しては、変更係数を受信し変更係数テーブル３１ｂ−２に記録する。
【００１９】
また、情報データ表示手段３１ｃは、情報サーバコンピュータ１０から複数の情報データを取得するに際して、予めそれらの情報データを入力すべき対応項目表示欄を設け、取得した情報データを対応欄へそれぞれ入力してクライアント端末機３０の表示部へ表示する手段である。
【００２０】
例えば、競馬情報でのオッズなどの情報データは、限られた馬番の組合せや、枠番号の組合せマトリックスを表示する見易い表示欄を設け、情報サーバコンピュータ１０からは、そのマトリックスの内容のオッズ値のみを受信して対応欄に表示する。また、出走表などは、ユーザがなれている競馬情報の新聞などの表示フォーマットの表示欄を設けて、表示欄に対応する情報データのみを受信して表示する手段である。このため、クライアントは、見易いと共に、情報サーバコンピュータ１０からの通信データを少なくすることができる。
【００２１】
また、緊急通知データ自動表示手段３１ｄは後述する情報サーバコンピュータ１０からの緊急通信情報データを受信したとき、クライアント端末機３０表示部の所定位置へ表示する手段である。
【００２２】
例えば、競馬情報において、出走取消しなどの緊急情報を受信した場合は、現在オッズ情報の表示画面であっても、画面中央に点滅（ティッカー）画面ウィンドウを設けて出走取消し情報を一定時間表示させる。また、最新のレース確定情報を受信した場合は、画面下方に電光掲示板スタイルのポップアップウィンドウを設けて表示させることができる。
【００２３】
一方、情報サーバコンピュータ１０は、Ｗｅｂサーバ１１と、データベース装置１２から少なくとも構成し、Ｗｅｂサーバ１１は、繰返し頻度変更係数算定手段１１ａと、繰返し頻度送信手段１１ｂと、緊急通知データ送信手段１１ｃと、情報データ送信手段１１ｄとを少なくとも備える。
【００２４】
データベース装置１２は、繰返し頻度対応テーブル１２ａと変更係数テーブル１２ｂと、緊急通知情報データテーブル１２ｃと、提供用情報データテーブル１２ｚとを少なくとも備える。
【００２５】
前記繰返し頻度変更係数算定手段１１ａは、その情報サーバコンピュータ１０の負荷状態を時間経過と共に逐次測定し、負荷に対応した繰返し頻度とするための変更係数を算定し、変更係数テーブル１２ｂに記録する手段である。説明の都合上変更係数テーブル１２ｂをファイルとしたが、時々刻々変化する情報であり、実施の際には変更係数値をメモリー上に備える。
【００２６】
この手段では、情報サーバコンピュータ１０のＯＳに備えた公知のロードアベレージ監視機能を利用してマシン負荷を測定し、負荷目標値に対して、負荷が高い場合、変更係数を１．０以上とし、繰返し頻度の時間間隔を２倍、３倍に延長させ、負荷目標値以下の場合は、変更係数を１．０未満として、時間間隔を短くさせる。なお、繰返し頻度の時間間隔は、変更係数を乗じて求めた時間に最短繰返間隔や、最長繰返間隔を設けて、無意味な短時間繰返しなどを防止する。
【００２７】
前記繰返し頻度送信手段１１ｂは、前記クライアント端末機からのログイン時或いはアクセスがあった際に、その日の繰返し頻度とその時点の変更係数を送信する手段である。
【００２８】
例えば競馬情報においては、ログイン時には、繰返し頻度対応テーブル１２ｂから、当日が平日か開催日か判断しその日の繰返し頻度間隔基準を読み出して送信する。なお、繰返し頻度間隔基準は、予め前記クライアント端末機３０にインストールするアクセス制御機能付ブラウザの繰返し頻度テーブル３１ｂ−１に記憶させておくことができる。この場合、間隔基準が変更となったときのみこの手段で変更させることとする。
【００２９】
また、緊急通知データ送信手段１１ｃは、緊急にクライアント端末機３０へ送信すべき緊急通知情報データが発生したとき、前記クライアント端末機３０からのアクセスがあった都度、そのアクセス要求内容の如何に係わらず、その都度その緊急通知情報データをクライアント端末機３０へ送信する手段である。
【００３０】
例えば、競馬情報において、出走取消などが発生した場合や、開催当日の直前のレース確定情報等を緊急通知情報テーブル１２ｃから読み出して送信する。なお、緊急通知情報テーブル１２ｃの記録・更新は情報管理サーバにより行われるが説明を省略する。
【００３１】
また、情報データ送信手段１１ｄは、クライアント端末機３０からの要求により送信すべきＷｅｂページの情報データを提供用情報テーブル１２ｚから検索し送信する手段である。
【００３２】
この時、Ｗｅｂページの情報データに加えるＨＴＭＬタグ、Ｗｅｂページデザイン設定言語、Ｗｅｂページ対話用言語などのＷｅｂページ編集情報を通信データに含めず、前記対応項目表示欄へ入力すべき前記情報データのみを送信する。
【００３３】
以下、本発明の実施の形態の動作の流れを図２に基づいて説明する。
【００３４】
利用者は、クライアント端末機３０にアクセス制御機能付きプラウザ３１を予めインストールする。（Ｓ２１）
【００３５】
情報サーバコンピュータ１０は、自身の負荷状態を時間経過と共に逐次測定し、負荷に対応した繰返し頻度とするための変更係数を算定し、変更係数テーブル１２ｂに記録する。（Ｓ２２）
【００３６】
クライアント端末機３０からのアクセス信号を受信した情報サーバコンピュータ１０は、ログイン処理を行ない情報データ選択画面と共に、その日の繰返し頻度とその時点の変更係数を送信する。（Ｓ２３）
【００３７】
クライアント端末機３０は、情報データ選択画面を表示すると共に、受信した繰返し頻度を繰返し頻度テーブル３１ｂ−１に、変更係数を変更係数テーブル３１ｂ−２に記録する。（Ｓ２４）
【００３８】
利用者は情報データ選択画面から希望する要求を選択し、情報サーバコンピュータ１０に要求する。（Ｓ２５）
【００３９】
クライアント端末機からの要求を受付けた情報サーバコンピュータ１０は、提供用情報データテーブルを検索してその情報を送信する。その際、緊急通知情報があれば、緊急通知情報テーブル１２ｃを読み出して送信する。（Ｓ２６）
この実施の形態ではクライアント端末機からのアクセスの際に緊急通知情報の有無も確認する。他の実施の形態として、繰返しアクセス頻度を制御された緊急情報専用のアクセス手段、時間経過情報専用のアクセス手段を設けて実施することも本発明の技術的思想の範囲内で行うことができる。
【００４０】
受信したクライアント端末機３０は、予め選択した情報データを入力すべき対応項目表示欄を設け、取得した情報データを対応欄へそれぞれ入力して表示部へ表示する。（Ｓ２７）
【００４１】
また、緊急通知情報を受信したクライアント端末機３０は、点滅（ティッカー）画面ウインドウまたは電光掲示板スタイルのポップアップウインドウを設けて表示部に表示させる。（Ｓ２８）
【００４２】
さらに、クライアント端末機３０は、選択された情報が経過時間依存データである場合、繰返しアクセス制御手段３１ａにより、通知された繰返し頻度の一定時間間隔で情報サーバコンピュータ１０に自動アクセスして、最新情報を要求する。（Ｓ２９）
【００４３】
再アクセスを受けた情報サーバコンピュータ１０は、最新の提供用情報データテーブル１２ｚを読み出して送信する。同時に、変更係数テーブル１２ｂから最新の繰返し頻度の変更係数を読み出して送信する。（Ｓ３０）
【００４４】
【発明の効果】
本発明のアクセス制御機能付ブラウザをクライアント側に備えたインターネットを介する情報提供システムは以下に示す効果を奏する。
【００４５】
アクセス制御機能付の専用ブラウザにより企業情報提供を受けたい利用者のクライアント端末機からの企業のサーバコンピュータへの要求頻度をコントロールすることが可能となる。
【００４６】
従って、また、利用者ユーザ数に比例して、サーバコンピュータの設備投資計画が可能となる。
【００４７】
また、利用者からの時間経過で変化する経過時間依存データに対するアクセス要求繰返し頻度を自動的にコントロールして未だデータが時間により変化していないのに、次のアクセス要求を受信する無駄な要求を無くし、サーバの負荷を抑制することができる。
【００４８】
さらに前記専用ブラウザに情報データを入力すべき対応項目表示欄を設け、サーバ側はそれに入力すべき情報データのみ送信し、そのデータのためのＨＴＭＬタグ、Ｗｅｂページデザイン設定、ポップアップウインドウ、対話用ウインドウなどの設定言語を送信しないようにした通信データを最低限必要なデータのみに絞る事が可能となり、レスポンスやネットワーク帯域上の効率のよい通信が可能となる。
【図面の簡単な説明】
【図１】本発明のインターネットを介する情報提供システムの実施の形態の構成を示す模式図である。
【図２】本発明のインターネットを介する情報提供システムの動作の流れを示す説明図である。
【符号の説明】
１０　　企業の情報サーバコンピュータ
１１　　Ｗｅｂサーバ
１１ａ　繰返し頻度変更係数算定手段
１１ｂ　繰返し頻度送信手段
１１ｃ　緊急通知データ送信手段
１１ｄ　情報データ送信手段
１２　　データベース装置
１２ａ　繰返し頻度対応テーブル
１２ｂ　変更係数テーブル
１２ｃ　緊急通知情報テーブル
１２ｚ　提供用情報データテーブル
２０　　インターネット
３０　　利用者のクライアント端末機
３１　　アクセス制御機能付ブラウザ
３１ａ　繰返しアクセス制御手段
３１ｂ　繰返し頻度受信手段
３１ｃ　情報データ表示手段
３１ｄ　緊急通知データ自動表示手段
３１ｚ　一般的なブラウザ機能
【図１】
2004110211.tif 000003
【図２】
2004110211.tif 000004